(57)【特許請求の範囲】
【請求項１】
表示面の表示領域に画像を表示する液晶ディスプレイモジュールと、装置本体から着脱自在であって少なくとも前記表示領域の周辺部を覆うベゼルと、を備えた液晶ディスプレイ装置において、
前記ベゼルの表示面に対向する部分にマグネットを配置し、前記表示面のマグネットに対向する面に磁力によって吸着される吸着部材を備え、
前記吸着部材は、前記マグネットが挿入される凹形状部分を備え、
前記凹形状部分および前記マグネットは、周辺部のうちいずれか一辺が他辺と異なる配置パターンを有することを特徴とする液晶ディスプレイ装置。
【請求項２】
前記ベゼルは、前記表示領域を覆う光学フィルタを備えたことを特徴とする請求項１に記載の液晶ディスプレイ装置。
【請求項３】
前記光学フィルタは、前記表示領域に表示される立体視用画像の左目用画像を左目、右目用画像を右目に光学的に配光して裸眼立体視鑑賞を行う３Ｄフィルタであり、
前記吸着部材は、前記マグネットに対向する面が、前記表示面に平行に且つマグネットの表示面に対向する面の面積より大きいことを特徴とする請求項１または２に記載の液晶ディスプレイ装置。
【請求項４】
前記光学フィルタは、該光学フィルタを構成するレンズの膨張率が前記表示面を構成するガラスの膨張率と同等であることを特徴とする請求項３に記載の液晶ディスプレイ装置。
【請求項５】
前記光学フィルタは、該光学フィルタを構成するレンズの任意の箇所に空気流通用切欠きを形成したことを特徴とする請求項３または４に記載の液晶ディスプレイ装置。
【発明の詳細な説明】
【０００１】
【発明の属する技術分野】
この発明は、パーソナルコンピュータやテレビ等の機器の画像表示に用いられる液晶ディスプレイ装置、特に画像の表示領域の周辺部を覆うベゼルに関する。
【０００２】
【従来の技術】
従来より、パーソナルコンピュータやテレビ等の機器の画像表示に用いられる液晶ディスプレイ装置は、表示面の表示領域に画像を表示する液晶ディスプレイモジュール、開口部を有するフロントフレーム及びリアフレーム等から構成される。液晶ディスプレイモジュールは、表示領域が上記開口部から露出するようにフロントフレームとリアフレームとによって挟持された状態で、フロントフレームに備えられた係止爪をリアフレームに設けられた係止孔等に係合することで固定される。
【０００３】
また、近年のフロントフレームには、環境保全等の観点から開口部を形成する際に打ち抜いた板材を廃棄することを見直し、複数のフレーム枠を突き合わせて構成されているものがある（例えば、特許文献１参照。）。
【０００４】
一方、近年の液晶ディスプレイ装置では、表示領域を介して出射される紫外線等の余分な光をカットする保護フィルタや裸眼立体視鑑賞を実現する３Ｄフィルタ等の光学フィルタを表示領域を覆うように装着して使用することもできる。上記光学フィルタは、例えばシールをフィルタ表面の一部と液晶ディスプレイ装置のフロントフレーム上部とに貼付することで液晶ディスプレイ装置に装着される。あるいは、係止爪、ねじ等の固定部材を用いて装着される。
【０００５】
【特許文献１】
特開２００３−５１５６号公報
【０００６】
【本発明が解決しようとする課題】
しかしながら、上述のフロントフレームをリアフレームに係止する液晶ディスプレイ装置の構成では、通常フロントフレームは他のデザインのものに付け換えることはなく、出荷当初から装着されたものを使用し続けているので、ユーザが長時間連続して表示領域及びその周辺部のフロントフレームを凝視し続けることによってユーザにストレスを生じさせる虞があり、また装置の長年の使用によってユーザにデザイン的な飽きを生じさせる可能性がある。また、複数種類のデザインの装着可能なフロントフレームが存在している場合であっても、フロントフレームはリアフレームに係止されているために取り外し難く、フロントフレームを付け換えるのにユーザに大きな負担がかかってしまう。上述の特許文献１の構成でも、液晶ディスプレイ装置用のフレーム枠を装置本体に固定する明確な記載はないため、上述のようにユーザにストレス及び飽きを生じさせる可能性がある。
【０００７】
また、光学フィルタを液晶ディスプレイ装置に装着する構成では、シールを用いた場合、光学フィルタ表面の一部にシールが貼付されるため表示領域が見難い可能性がある。一方、係止爪やねじ等の固定部材を用いる場合は、光学フィルタ側及び液晶ディスプレイ側に係止爪やねじ穴等を設けなければならず、１種類の液晶ディスプレイ装置に対して専用に光学フィルタを設計する必要がある。また、シールを用いる場合と比較して、係止爪やねじ等を用いた場合は、フィルタを着脱し難いためにユーザに負担がかかってしまう。
【０００８】
特に３Ｄフィルタの装置本体に対する装着は、表示領域との位置合わせが必要になるため、３Ｄフィルタの取付後に位置合わせが必要になった場合は、シールを剥がす等して３Ｄフィルタを取り外して再度装着しなければならず、ユーザに非常に負担がかかってしまう。また、３Ｄフィルタを工場出荷前に取り付けることも考えられるが、工場の作業者が３Ｄフィルタと表示領域との位置合わせを行いつつ３Ｄフィルタを装置本体に取り付けるのは作業者に非常に負担がかかり、さらに装置の搬送中等に位置がずれて再度ユーザが調整を行わなければならない可能性がある。
【０００９】
一方、着脱できないように完全に光学フィルタが装置本体に固定されている場合は、光学フィルタ表面が傷付いて交換が必要であっても光学フィルタ単体で交換することができない。また、完全に３Ｄフィルタが装置本体に固定されている場合は、常に立体画像が表示されるために平面画像を表示をすることができない問題がある。
【００１０】
この発明の目的は、表示領域の周辺部を覆うベゼルをマグネットの磁力を用いて装置本体から容易に着脱することができる液晶ディスプレイ装置を提供することにある。
【００１１】
【課題を解決するための手段】
この発明は、上記の課題を解決するために、以下の構成を備えている。
【００１２】
（１）表示面の表示領域に画像を表示する液晶ディスプレイモジュールと、装置本体から着脱自在であって少なくとも前記表示領域の周辺部を覆うベゼルと、を備えた液晶ディスプレイ装置において、前記ベゼルの表示面に対向する部分にマグネットを配置し、前記表示面のマグネットに対向する面に磁力によって吸着される吸着部材を備え、前記吸着部材は、前記マグネットが挿入される凹形状部分を備え、前記凹形状部分および前記マグネットは、周辺部のうちいずれか一辺が他辺と異なる配置パターンを有することを特徴とする。
【００１３】
この構成においては、表示面との対向部分にマグネットの配置されたベゼルが、表示面のマグネットに対向する面に配置された吸着部材に磁力によって吸着する。したがって、ユーザが装置本体を使用する際、ユーザが凝視する表示領域の周辺部を覆うベゼルが磁力によって着脱自在に装置本体に装着されるので、ユーザによるベゼルの着脱が容易に行われ、ユーザの好みや気分に合わせてユーザ自身によって異なったデザインのベゼルが容易に付け換えられる。これにより、ベゼル及び表示領域を長時間連続して凝視し続けることにより発生するストレス及び装置の長年の使用によるデザイン的な飽きを生じさせることが抑制される。
【００１４】
（２）前記ベゼルは、前記表示領域を覆う光学フィルタを備えたことを特徴とする。
【００１５】
この構成においては、表示領域の周辺部を覆うベゼルに表示領域を覆う光学フィルタが備えられ、またベゼルに配置されたマグネットの磁力によって光学フィルタが装置本体に対して着脱自在に装着される。したがって、光学フィルタの装置本体に対する着脱に必要な部材であるマグネットが光学フィルタの周辺部に配置されるので光学フィルタ面が遮蔽されず、光学フィルタを通じて表示領域の画像全体が適切に表示される。また、ベゼルが磁力によって装置本体対して容易に着脱自在なので、ユーザによってベゼル及び光学フィルタが容易に付け換えられ、光学フィルタを付け換える際にユーザにかかる負担が軽減される。
【００１６】
（３）前記光学フィルタは、前記表示領域に表示される立体視用画像の左目用画像を左目、右目用画像を右目に光学的に配光して裸眼立体視鑑賞を行う３Ｄフィルタであり、
前記吸着部材は、前記マグネットに対向する面が、前記表示面に平行に且つマグネットの表示面に対向する面の面積より大きいことを特徴とする。
【００１７】
この構成においては、光学フィルタが裸眼立体視鑑賞を行う３Ｄフィルタであり、また吸着部材のマグネットに対向する面が、表示面に平行に且つマグネットの表示面に対向する面の面積よりも大きく構成されている。
【００１８】
したがって、マグネットの表示面に対向する面よりも吸着部材のマグネットに対向する面の面積が大きいので、ベゼルが吸着部材のマグネットに対向する面の範囲においてユーザによってベゼルが容易に表示面に平行に摺動される。これにより、ユーザがベゼルを摺動させて裸眼立体視鑑賞を行う３Ｄフィルタの表示領域に対する位置の調整が容易に行われる。
【００１９】
（４）前記光学フィルタは、該光学フィルタを構成するレンズの膨張率が前記表示面を構成するガラスの膨張率と同等であることを特徴とする。
【００２０】
この構成においては、３Ｄフィルタを構成するレンズの膨張率が表示面を構成するガラスの膨張率と同等であるので、レンズ及びガラスが膨張変形した際、レンズとガラスとが略同形状に膨張変形するために３Ｄフィルタの表示領域に対する位置がずれることがなく、膨張変形のためにユーザが何度も３Ｄフィルタの表示領域に対する位置の調整を行う必要がない。
【００２１】
（５）前記光学フィルタは、該光学フィルタを構成するレンズの任意の箇所に空気流通用切欠きを形成したことを特徴とする。
【００２２】
この構成においては、光学フィルタを構成するレンズに空気を流通させるための切欠きが形成されているので、３Ｄフィルタに覆われた状態の表示面が空気流通用切欠き中の空気に触れ、表示面の熱が空気中に放出されるので、上記表示面の昇温が抑制される。これにより、異常昇温が防止され、異常昇温による液晶ディスプレイモジュールの故障が防止される。
【００２３】
【発明の実施の形態】
図１は、この発明の実施形態に係る液晶ディスプレイ装置の概略の構成を示す正面図である。この発明の装置本体である液晶ディスプレイ装置１００は、図示しない液晶ディスプレイモジュール１、フレーム２、スタンド３及びベゼル４等から構成され、画像を表示する装置としてパーソナルコンピュータやテレビ等に適用される。
【００２４】
液晶ディスプレイモジュール１は、図４に示すように画像を表示する表面がガラス１１ａ（例えば、白ガラス。）で構成された表示面１１及び鉄製の鉄枠５０等から構成される。また、液晶ディスプレイモジュール１は、シャーシ１５によって固定されている。表示面１１は、表示面１１の周辺部を除いた表示領域１２に画像を表示する。この発明の吸着部材である鉄枠５０は、表示領域１２の周辺部の表示面１１上に、表示面１１に平行な面を有する。
【００２５】
フレーム２は、図４に示すようにフロントフレーム２１及びリアフレーム２２等から構成され、液晶ディスプレイモジュール１を固定する。フロントフレーム２１は、内周が液晶ディスプレイモジュール１の外周と略同形状であって液晶ディスプレイモジュール１の側面を覆う。リアフレーム２２は、液晶ディスプレイモジュール１の表示面１１とは反対側の後部全体を覆う。スタンド３は、一端がシャーシ１５に固定され、フレーム２を介して液晶ディスプレイモジュール１を支持する。
ベゼル４は、開口部４１及び係止爪４２等から構成され、装置本体から着脱自在に表示領域１２の周辺部を覆う。開口部４１は、内周が表示領域１２の外周と略同形状であってベゼル４が装置本体に装着された際に表示領域１２を露出させる。係止爪４２は、フロントフレーム２１に設けられた係止孔２３と係合することでベゼル４をフロントフレーム２１に係止する。また、ベゼル４は、図２に示すように表示面１１に対向する面に複数の円盤形状のマグネット４３を備えている。マグネット４３は、鉄枠５０に磁力によって吸着するように鉄枠５０に対向する位置に配置されている。これにより、マグネット４３の磁力を用いてベゼル４を装置本体に吸着させることができる。
【００２６】
なお、係止爪４２及び係止孔２３によるベゼル４の係止は、マグネット磁力によるベゼル４の装置本体に対する装着のための補助を行う構成であるため、マグネット４３のみを用いた構成であってもよい。また、ベゼル４の一辺側のみが係止爪で係止されているので、容易に係止爪４２と係止孔２３との係合解除を行うことは可能である。
【００２７】
さらに、ベゼル４の装置本体に対する装着を補助するために鉄枠５０のマグネット４３に吸着される箇所を凹形状に形成してもよい。これにより、マグネット４３を凹形状部分に挿入できるので、鉄枠５０に吸着しているマグネット４３がずれるのを防止し、ベゼル４をより適切に装置本体に装着させることができる。
【００２８】
上記の構成のように、ユーザが装置本体を使用する際、ユーザが凝視する表示領域１２の周辺部を覆うベゼル４が磁力によって着脱自在に装置本体に装着されるので、ユーザがベゼル４の着脱を容易に行うことができ、ユーザの好みや気分に合わせてユーザ自身が異なったデザインのベゼル４に容易に付け換えることができる。これにより、ユーザがベゼル４及び表示領域１２を長時間連続して凝視し続けることにより発生するストレス及び装置の長年の使用によるデザイン的な飽きを生じさせることを抑制することができる。また、ユーザがベゼル４の装着を容易に行うことができるので、ベゼル４を着脱する際にユーザにかかる負担を軽減できる。
【００２９】
なお、この発明の実施形態では、複数の円盤形状のマグネット４３を用いているが、特にこれに限定されるものではなく、ベゼル４の大きさ、重量、ユーザの着脱のしやすさ等を考慮してマグネットの数、形状、種類を設定すればよい。
【００３０】
また、この発明の実施形態では、開口部４１を有するベゼル４を用いてるが特にこれに限定されるものではない。表示面１１を介して出射される紫外線等をカットする保護フィルタや、レンチキュラータイプ、偏向タイプ及びバリヤタイプ等の表示領域１２に表示される立体視用画像の左目用画像を左目、右目用画像を右目に光学的に配光して裸眼立体視鑑賞を行う３Ｄフィルタ（光学立体視フィルタ）等の光学フィルタを開口部４１に固着させ、ベゼル４の装着時に光学フィルタが表示領域１２を覆う構成のベゼル４を用いてもよい。また、光学フィルタ以外にタッチパネルを用いた構成も可能である。
【００３１】
これにより、光学フィルタの周辺部を覆うベゼル４に装置本体との着脱に必要なマグネット４３が配置されているので、装置本体への着脱に必要な部材によって光学フィルタ面が遮蔽されず、光学フィルタを通じて表示領域の画像全体を適切に表示できる。また、ベゼル４を装置本体から容易に着脱することができるので、ユーザによってベゼル４及び光学フィルタを容易に付け換えることができ、光学フィルタを付け換える際にユーザにかかる負担を軽減することができる。
【００３２】
上記光学フィルタを備えたベゼル４の具体例としてレンチキュラータイプの３Ｄフィルタ６０について説明する。ベゼル４の開口部４１に固着された３Ｄフィルタ６０は、図３、図４に示すように、この発明のレンズである蒲鉾形状のレンチキュラーレンズ６０ａ等から構成されている。図４に示すように３Ｄフィルタ６０は、表示面１１に接触するように装置本体に装着される。これは、表示面１１と３Ｄフィルタ６０との間に隙間を設けた場合、液晶ディスプレイモジュール１から表示面１１を介して出射される立体視用画像の光が屈折や反射等により適切に３Ｄフィルタ６０を通過せず、正確に立体画像が表示されなくなってしまうためである。また、３Ｄフィルタ６０は、表示面１１の周辺の突出した形状に合わせて、周辺部６０ｂの断面が略Ｌ字形状を呈している。さらに、３Ｄフィルタ６０は、周辺部６０ｂのベゼル４に対向する面に両面テープが貼付され、ベゼル４に接着されている。
【００３３】
一方、鉄枠５０のマグネット４３に対向する面は、マグネット４３の鉄枠５０に対向する面の面積よりも大きく形成されている。これにより、鉄枠５０のマグネット４３に対向する面の範囲においてベゼル４を装置本体に装着した状態で摺動させることができ、３Ｄフィルタ６０の表示領域１２に対する上下左右の位置の調整を行うことができる。
【００３４】
但し、ベゼル４は、表示面１１の周辺部の突出部分に３Ｄフィルタ６０の周辺部６０ｂが当接する位置までしか摺動させることができない。つまり、蒲鉾形状のレンチキュラーレンズ６０ａに対向していない表示領域１２は、ユーザに立体視されないので、表示領域１２がレンチキュラーレンズ６０ａに常に対向しているように摺動できる範囲を制限している。
【００３５】
なお、係止爪４２及び係止孔２３おいては、係止孔２３を係止爪４２の左右方向の幅よりも大きく形成する等してベゼル４が摺動できるように構成する。
【００３６】
一方、３Ｄフィルタ６０を構成するレンチキュラーレンズ６０ａは、略同形状に膨張変形するように表示面１１の表面を構成するガラス１１ａと同等の膨張率の材質で構成されている。これは、熱による膨張変形によって３Ｄフィルタ６０の表示領域１２に対する位置がずれるのを防止するためである。つまり、３Ｄフィルタ６０が表示面１１に接触しているために表示面１１から熱が伝わり、表示面１１と略同等の温度になる。そのため、レンチキュラーレンズ６０ａとガラス１１ａとの膨張率が異なるとレンチキュラーレンズ６０ａ及びガラス１１ａは、それぞれ異なる形状に膨張変形する。そのため、表示領域１２に対する３Ｄフィルタ６０の位置がずれてしまい、ユーザが何度も３Ｄフィルタ６０の位置を調整しなければならない。
【００３７】
上述の例の構成のように、ベゼル４に３Ｄフィルタ６０を備え、マグネット４３の表示面１１に対向する面よりも鉄枠５０のマグネット４３に対向する面の面積を大きくすることによって、ユーザがベゼル４を表示面１１に平行に摺動させることができる。これにより、ユーザがベゼル４を摺動させて３Ｄフィルタ６０の表示領域１２に対する位置の調整を容易に行うことができる。
【００３８】
また、図５に示すように、３Ｄフィルタ６０の周辺部に空気流通用切欠き６５を設けてもよい。これにより、
３Ｄフィルタ６０に覆われた状態の表示面１１が空気流通用切欠き６５中の空気に触れ、表示面１１の熱を空気中に放出できるので、表示面１１の昇温を抑制することができる。したがって、表示面１１の異常昇温を防止でき、異常昇温による液晶ディスプレイモジュール１の故障を防止できる。
【００３９】
なお、この発明の実施形態では、マグネット４３を用いてベゼルを装置本体に装着してるが、特に液晶ディスプレイ装置１００に磁力による影響はない。
【００４０】
【発明の効果】
この発明によれば、以下の効果を奏することができる。
【００４１】
（１）ベゼルを磁力を用いて装置本体から着脱自在にすることによって、ユーザがベゼルの着脱を容易に行うことができ、ユーザの好みや気分に合わせてユーザ自身が異なったデザインのベゼルに容易に付け換えることができる。これにより、ユーザがベゼル及び表示領域を長時間連続して凝視し続けることにより発生するストレス及び装置の長年の使用によるデザイン的な飽きを生じさせることを抑制することができる。また、ユーザがベゼルの着脱を容易に行うことができるので、ベゼルを着脱する際にユーザにかかる負担を軽減できる。
【００４２】
（２）上記ベゼルに光学フィルタを備えることによって、光学フィルタの装置本体に対する着脱に必要な部材であるマグネットが光学フィルタの周辺部に配置されるので、光学フィルタ面が遮蔽がされず、光学フィルタを通じて表示領域の画像全体を適切に表示できる。また、ベゼルを装置本体に対して容易に着脱することができるので、ユーザによってベゼル及び光学フィルタを容易に付け換えることができ、光学フィルタを付け換える際にユーザにかかる負担を軽減できる。
【００４３】
（３）ベゼルに３Ｄフィルタを備え、マグネットの表示面に対向する面よりも吸着部材のマグネットに対向する面の面積を大きくすることによって、吸着部材のマグネットに対向する面の範囲においてユーザがベゼルを表示面に平行に摺動させることができる。これにより、ユーザがベゼルを摺動させて３Ｄフィルタの表示領域に対する位置の調整を容易に行うことができる。
【００４４】
（４）３Ｄフィルタを構成するレンズの膨張率を表示面を構成するガラスの膨張率と同等にすることによって、レンズ及びガラスが膨張変形した際、ガラスとレンズとを略同形状に膨張変形させることができるので、３Ｄフィルタの表示領域に対する位置がずれることを防止できる。
【００４５】
（５）３Ｄフィルタに空気流通用切欠きを設けることによって、３Ｄフィルタに覆われた状態の表示面の熱を空気流通用切欠き中の空気に放出でき、上記ガラスの昇温を抑制することができる。したがって、表示面の異常昇温を防止でき、異常昇温による液晶ディスプレイモジュールの故障を防止できる。
【図面の簡単な説明】
【図１】この発明の実施形態に係る液晶ディスプレイ装置の概略の構成を示す正面図である。
【図２】同液晶ディスプレイ装置に備えられるベゼルの裏面の構成を示す背面図である。
【図３】同液晶ディスプレイ装置の概略の構成を示す正面図である。
【図４】同液晶ディスプレイ装置の一部の構成を示す横断面図である。
【図５】同液晶ディスプレイ装置に備えられるベゼルの構成を示す正面図である。
【符号の説明】
１−液晶ディスプレイモジュール
４−ベゼル
１１−表示面
１１ａ−ガラス
１２−表示領域
４３−マグネット
５０−鉄枠
６０−３Ｄフィルタ
６０ａ−レンチキュラーレンズ
６５−空気流通用切欠き
１００−液晶ディスプレイ装置
【図１】
0004607433.tif 000002
【図２】
0004607433.tif 000003
【図３】
0004607433.tif 000004
【図４】
0004607433.tif 000005
【図５】
0004607433.tif 000006